(57)【要約】      （修正有）【課題】マッサージユニットが作動する時に、より人体のスタイルに合い、よりよいマッサージ効果を奏する一方、マッサージ玉が筋肉または骨に強く当たることが避けられ、マッサージする過程において痛みと不具合を軽減でき、マッサージ使用の快適性が向上するマッサージローラー構造を提供する。【解決手段】二つの円盤１１と、二つの円盤の間に穿設される複数組のマッサージユニット１２とを含み、二つの円盤の中央部分に軸柱１１１が連接され、軸柱を中心に二つの円盤の間に複数の対称の穿孔１１２が設けられる。マッサージユニットは弾性拘束部材１２１によって複数のマッサージ玉１２２が穿設され、さらにこれらのマッサージユニットが弾性拘束部材によって二つの円盤の間にある対称な各穿孔に固定される構成とする。【選択図】図３
2020108729.tif 000002
【特許請求の範囲】
【請求項１】
二つの円盤と二つの円盤の間に穿設される複数組のマッサージユニットとを含むマッサージローラー構造であって、
二つの円盤の中央部分に軸柱が連接され、前記軸柱を中心に二つの円盤の間に複数の対称な穿孔が設けられ、前記マッサージユニットは弾性拘束部材によって複数のマッサージ玉が穿設され、さらにこれらのマッサージユニットが弾性拘束部材によって二つの円盤の間にある対称な各穿孔に固定されることを特徴とするマッサージローラー構造。
【請求項２】
前記マッサージローラーの二つの円盤の両側にそれぞれ外盤が設けられることを特徴とする請求項１のマッサージローラー構造。
【請求項３】
前記マッサージローラーは手足をマッサージするマッサージ機構に応用されることを特徴とする請求項１のマッサージローラー構造。
【請求項４】
前記マッサージ機構は台座と揺動アームとを含み、
前記台座の上端面の偏心位置に互いに対称な組み合わせ柱が設けられ、また前記二つの組み合わせ柱の後方にさらに位置限定ストップ板が設けられ、前記揺動アームはマッサージ端と揺動端とを有し、前記マッサージ端の両側に対称なマッサージローラーがそれぞれ設けられ、さらに前記マッサージ端の内部を経由してマッサージローラーモーターが設けられ、二つのマッサージローラーが連動され回転動作し、前記揺動アーム端は前記台座の二つの組み合わせ柱の間に設けられ、また前記揺動端と二つの組み合わせ柱との間に揺動モーターが設けられ、さらに前記揺動モーターを経由して前記揺動アームを連動して前記台座に振り子動作の定点状態があることで、前記マッサージ端の振り子循環マッサージと定点マッサージの目的を奏することを特徴とする請求項３のマッサージローラー構造。
【請求項５】
前記台座の両側に二つの脚フレームがそれぞれ設けられ、二つの組み合わせ柱の前方に第一極限スイッチが設けられ、前記揺動アームの外側には前記揺動端に近い所に第二極限スイッチが設けられ、前記第一、二極限スイッチは前記揺動モーターとそれぞれ連接されることで、前記揺動モーターの正転、反転の起動時期が制御されることを特徴とする請求項４のマッサージローラー構造。
【請求項６】
前記位置限定ストップ板の断面が?字型を呈し、また前記位置限定ストップ板の最高点は二つの組み合わせ柱の頂点より低いため、前記揺動アームの前記台座における振り子角度が９０度より大きくなることを特徴とする請求項４のマッサージローラー構造。
【請求項７】
前記二つのマッサージローラーの外が布カバーで覆われることを特徴とする請求項１または４のマッサージローラー構造。
【請求項８】
前記揺動モーターは前記揺動アームの揺動端内に設けられ、また前記揺動モーターの両側にはそれぞれ軸棒が設けられ、前記揺動端を貫通して二つの組み合わせ柱と結合固定され、二本の軸棒が結合固定される状況において、前記揺動モーターによって前記揺動アームが連動され作動することを特徴とする請求項４のマッサージローラー構造。
【発明の詳細な説明】
【技術分野】
【０００１】
本発明はマッサージ構造に関し、特に人体の曲線に合わせてマッサージするマッサージローラー構造に関する。
【背景技術】
【０００２】
現代人は仕事におけるストレスが大きく、体が凝りやすいため、マッサージ器具を好んで購入して体の異なる部位をマッサージし、体をほぐしたり、ストレスを解消したりする。一般のマッサージ機は全身マッサージ機と局部マッサージ機に分けられ、全身マッサージ機はマッサージチェア、マッサージベッドなどがあり、局部マッサージ機は首肩マッサージベルト、腰マッサージベルトとふくらはぎ及び足部のマッサージ機などがある。ローラー、エアバッグまたは振動などの機械式の揉み解しによって対応する部位を揉み解して、筋肉の緊張状態を和らげる。
【０００３】
ただし、今現在のマッサージチェア、マッサージベッドまたは下肢マッサージ器はすべて複雑なマッサージ機構を有するため、これらのマッサージ機構の体積が大きく、家の中の空間が足りないために据え置きしにくく、収納しにくく、使用上において不便であることで、たくさんの消費者が躊躇してしまう。また上記マッサージ機構のマッサージローラーまたはマッサージアームはすべて硬質のローラー軸と揺動アームによってマッサージ玉を連動してマッサージが行われるが、使用者の体のスタイル、曲線の異なりによってマッサージ角度の変化ができず、マッサージする時は単調で、硬いため、人体の曲線に対してのマッサージ効果が乏しく、使用者が痛み、不具合を感じやすいため、マッサージの快適性を大幅に軽減させ、実用性に欠ける。
【０００４】
従って、本発明者は長年にわたって関係商品の製造開発と設計をした経験により、上記目標について、詳しく設計をして慎重に評価した結果、実用性に満ちた本発明を得た。
【発明の概要】
【発明が解決しようとする課題】
【０００５】
現在技術における上記欠点を解決し、マッサージローラー構造を提供する。
【課題を解決するための手段】
【０００６】
本発明のマッサージローラーは、二つの円盤と、二つの円盤の間に穿設される複数組のマッサージユニットとを含む。二つの円盤の中央部分に軸柱が連接され、該軸柱を中心に二つの円盤の間に複数の対称の穿孔が設けられる。上記マッサージユニットは弾性拘束部材によって複数のマッサージ玉が穿設され、さらにこれらのマッサージユニットが弾性拘束部材によって二つの円盤の間にある対称の各穿孔に固定される。
【０００７】
該マッサージローラーの二つの円盤の両側にそれぞれ外盤が設けられる。
【０００８】
該マッサージローラーは手足をマッサージするマッサージ機構に応用される。
【０００９】
該マッサージ機構は台座と揺動アームとを含む。該台座の上端面の偏心位置に互いに対称な組み合わせ柱が設けられ、また二つの組み合わせ柱の後方にさらに位置限定ストップ板が設けられる。該揺動アームはマッサージ端と揺動端とを有し、該マッサージ端の両側に対称なマッサージローラーがそれぞれ設けられ、さらに該マッサージ端の内部を経由してマッサージローラーモーターが設けられ、二つのマッサージローラーが連動され回転動作する。該揺動アーム端は該台座の二つの組み合わせ柱の間に設けられ、また該揺動端と二つの組み合わせ柱との間に揺動モーターが設けられ、さらに該揺動モーターを経由して該揺動アームを連動して該台座に振り子動作の定点状態があることで、該マッサージ端の振り子循環マッサージと定点マッサージの目的を果たす。
【００１０】
該台座の両側に二つの脚フレームがそれぞれ設けられ、二つの組み合わせ柱の前方に第一極限スイッチが設けられ、該揺動アームの外側は該揺動端に近い所に第二極限スイッチが設けられ、該第一、二極限スイッチは該揺動モーターとそれぞれ連接されることで、該揺動モーターの正転、反転の起動時期が制御される。
【００１１】
該位置限定ストップ板の断面が?字型を呈し、また該位置限定ストップ板の最高点は二つの組み合わせ柱の頂点より低いため、該揺動アームの該台座における振り子角度が９０度より大きくなる。
【００１２】
二つのマッサージローラーの外にそれぞれ布カバーで覆われる。
【００１３】
該揺動モーターは該揺動アームの揺動端内に設けられ、また該揺動モーターの両側にはそれぞれ軸棒が設けられ、そして該揺動端を貫通して二つの組み合わせ柱と結合固定される。二本の軸棒が結合固定される状況において、該揺動モーターによって該揺動アームが連動され作動する。
【００１４】
該マッサージローラーの各マッサージユニットは弾性拘束部材によって複数のマッサージ玉が二つの円盤の間に穿設され、これらのマッサージユニットが弾性の衝突緩和かつ位置回復効果を有し、マッサージする位置の曲線の異なりによって変形できるため、マッサージユニットが作動する時はより人体のスタイルに合い、よりよいマッサージ効果を奏する。一方、マッサージ玉が筋肉または骨に強く当たることが避けられ、マッサージする過程において痛みと不具合を軽減でき、マッサージ使用の快適性が向上する。
【図面の簡単な説明】
【００１５】
【図１】図１は、本発明に係るマッサージローラー構造の立体図である。
【図２】図２は、本発明に係るマッサージローラー構造の分解図である。
【図３】図３は、本発明に係るマッサージローラーの局部分解図である。
【図４】図４は、本発明に係るマッサージローラー構造の断面図である。
【図５】図５は、本発明を使用者が座って使用する状態を示す図（一）である。
【図６】図６は、本発明を使用者が座って使用する状態を示す図（二）である。
【図７】図７は、本発明を使用者が座って使用する状態を示す図（三）である。
【図８】図８は、本発明を使用者が横になって使用する状態を示す図（一）である。
【図９】図９は、本発明を使用者が横になって使用する状態を示す図（二）である。
【図１０】図１０は、本発明を使用者が横になって使用する状態を示す図（三）である。
【図１１】図１１は、本発明のマッサージローラーが大腿部をマッサージする断面図である。
【図１２】図１２は、本発明のマッサージローラーがすね、くるぶしをマッサージする断面図である。
【図１３】図１３は、本発明のマッサージローラーが足底をマッサージする断面図である。
【発明を実施するための形態】
【００１６】
まず、図１から図４を参照されたい。本発明のマッサージローラー１０は、二つの円盤１１と、二つの円盤１１の間に穿設される複数組のマッサージユニット１２とを含む。二つの円盤１１の中央部分に軸柱１１１が連接され、該軸柱１１１を中心に二つの円盤１１の間に複数の対称の穿孔１１２が設けられる。上記マッサージユニット１２は弾性拘束部材１２１によって複数のマッサージ玉１２２が穿設され、さらにこれらのマッサージユニット１２が弾性拘束部材１２１によって二つの円盤の間にある対称の各穿孔１１２に固定されることによって、これらのマッサージユニット１２が弾性的に衝突緩和で二つの円盤１１の間に枢接され、また該マッサージローラー１０の二つの円盤１１の両側にさらに外盤１３が設けられる。
【００１７】
上記マッサージローラー１０は手足のマッサージを提供するマッサージ機構であり、同時に図１から図４を参照されたい。該マッサージ機構は台座２０と揺動アーム３０とを含む。該台座２０の両側に二つの脚フレーム２１がそれぞれ設けられ、該台座２０の上端面の偏心位置に互いに対称な組み合わせ柱２２が設けられ、また二つの組み合わせ柱２２の後方にさらに位置限定ストップ板２３が設けられる。該位置限定ストップ板２３の断面が?字型を呈し、また該位置限定ストップ板２３の最高点は二つの組み合わせ柱２２の頂点より低い。該揺動アーム３０はマッサージ端３１と揺動端３２とを有し、該マッサージ端３１の両側に対称なマッサージローラー１０がそれぞれ設けられ、また二つのマッサージローラー１０の外は布カバー１４で覆われる。該マッサージ端３１の内部にマッサージローラーモーター３３が設けられ、該マッサージローラー３３が心軸３１を連動して二つのマッサージローラー１０の軸柱１１１と結合連動することで、二つのマッサージローラー１０が連動され回転動作する。該揺動アーム端３２は該台座２０の二つの組み合わせ柱２２の間に設けられ、また該揺動端３２と二つの組み合わせ柱２２との間に揺動モーター３４が設けられる。そして、該揺動モーター３４は該揺動アーム３０の揺動端３２内に設けられ、また該揺動モーター３４の両側にはそれぞれ軸棒３４１が設けられ、そして該揺動端３２を貫通して二つの組み合わせ柱２２と結合固定される。該揺動モーター３４を経由して該揺動アーム３０を連動して該台座２０に振り子動作の定点状態があることで、該マッサージ端３１の振り子循環マッサージと定点マッサージの目的を奏する。
【００１８】
前述台座２０の二つの組み合わせ柱２２の前方に第一極限スイッチ２４が設けられ、該揺動アーム３０の外側は該揺動端３２に近い所に第二極限スイッチ３５が設けられ、該第一、二極限スイッチ２４、３５は該揺動モーター３４とそれぞれ連接されることで、該揺動モーター３４の正転、反転の起動時期が制御される。
【００１９】
実際の応用、運転状態は、引き続き図１から図４を参照されたい。該揺動アーム３０のマッサージ端３１は該マッサージローラーモーター３３によって二つのマッサージローラー１０が連動され回転する。該揺動アーム３０の揺動端３２の内部に揺動モーター３４が設けられ、該揺動端３２を台座２０の二つの組み合わせ柱２２と該位置限定ストップ板２３との間に取り付ける。該揺動モーター３４は該揺動端３２の内部に固設されるため、二つの軸棒３４１を該揺動端３２の両側より突き出した後、二つの組み合わせ柱２２に固定することで、二つの軸棒３４１が結合固定される状態において、揺動モーター３４が起動する時は該軸棒３４１を軸心にして作動することで、該揺動アーム３０を連動して二つの組み合わせ柱２２の間で揺動させる。また該台座２０の二つの組み合わせ柱２２の前方に第一極限スイッチ２４が設けられ、該揺動アーム３０の外側にさらに第二極限スイッチ３５が設けられる。該揺動アーム３０が揺動モーター３４の運転による揺動を受けると、前方に揺動して該台座２０の第一極限スイッチ２４に接触する時、該揺動モーター３４を切り替えて反転動作が生じ、該揺動アーム３０が伸びて反対方向へ揺動する。反対に、揺動アーム３０が反対方向に揺動して、そして第二極限スイッチ３５によって該位置限定ストップ板２３に接触する時、再び該揺動モーター３４を切り替えて正転動作することで、該揺動アーム３０が台座２０の前方へ正方向に揺動する状態が生じ、該揺動アーム３０の往復振り子状態を奏し、マッサージ端３１の二つのマッサージローラー１０を利用して下肢のマッサージ効果を奏する。また該位置限定ストップ板２３の高さが二つの組み合わせ柱２２より低く、該揺動アーム３０の該台座２０における振り子角度が９０度より大きくなることで、下肢をマッサージできる範囲が大幅に向上される。
【００２０】
このほか、前述の極限スイッチを利用して揺動モーター３４の正反転動作を切り替える実施方法は、本発明のよりいい実施例の一つであるため、これに限られるものではない。また揺動モーター３４の作動回転数の設定によって正反転の切り替えを奏し、またはほかのセンサースイッチ、回転儀などを合わせて揺動モーター３４の正反転の切り替え効果を奏する。
【００２１】
上記構造は実際に使用する時、引き続き図５から図７を参照されたい。使用者が椅子に座り、該マッサージ機構を椅子の前側に置き、そして両足を揺動アーム３０の二つのマッサージローラー１０に置き、マッサージローラーモーター３３と揺動モーター３４が同時に起動される時、二つのマッサージローラー１０のマッサージユニット１２はマッサージローラーモーター３３に連動され回転し、下肢の筋肉をマッサージする。同じ時間に、該揺動アーム３０は揺動モーター３４に連動して振り子動作することで、該マッサージ端３１の二つのマッサージローラー１０を両足の足の甲、くるぶし、ふくらはぎ、膝の後ろ側と大腿に沿って順番にマッサージするため、下肢循環マッサージの効果を奏する。またふくらはぎのマッサージを行う時、両足が持ち上げられて足部筋肉をほぐし、マッサージの効果が大幅に向上される。
【００２２】
その次、該マッサージローラーモーター３３と揺動モーター３４はそれぞれ制御器（図に未表示）に連接し、制御器によってマッサージローラーモーター３３の効率が切り替えられ、二つのマッサージローラー１０の回転速度とマッサージの力加減の調整制御を奏する。また制御器によって該揺動モーター３４の開閉が切り替えられることで、該揺動アーム３０の角度を固定し、定点マッサージの効果を奏し、例えば足底、ふくらはぎの筋肉、膝の後ろ側の筋肉または大腿の筋肉に対してマッサージを強める。
【００２３】
さらに、該マッサージ機構を使用する時、該揺動アーム３０の角度は随意に調整できるため、使用者が寝たままで使用できることで、横になって休憩する時または睡眠時に下肢のマッサージが行える。同時に図８から図１０を参照されたい。特別なのは、揺動アーム３０は揺動モーター３４の連動によって上昇状態になる時、足部を上へ支え持ち心臓より高くなることで、血液が心臓と肺に回流でき、血液の中の酸素が十分に利用され、長時間に緊張する足部の筋肉が休憩、ほぐされ、さらにマッサージローラー１０のマッサージ動作に合わせると、筋肉痛、疲労などの不具合を解消できる上、足部の血液循環が促進でき、足のダイエットとむくみを解消などの効果を兼ねる。
【００２４】
以上をまとめると、該マッサージ機構はマッサージローラー１０を合わせて、主に下肢のマッサージ効果を提供するが、上肢両腕のマッサージも提供できる。マッサージローラー１０はマッサージローラーモーター３３に連動され回転する時、同時に図１１から図１３を参照されたい。該マッサージローラー１０の各マッサージユニット１２は弾性拘束部材１２１によって複数のマッサージ玉１２２が二つの円盤１１の間に穿設され、これらのマッサージユニット１２が弾性の衝突緩和かつ位置回復効果を有し、マッサージする位置の曲線の異なりによって変形できるため、マッサージユニット１２が作動する時はより人体のスタイルに合い、よりよいマッサージ効果を奏する。一方、マッサージ玉１２２が筋肉または骨を強く当てることが避けられ、マッサージする過程において痛みと不具合を軽減でき、マッサージ使用の快適性が向上される。
【００２５】
また、該マッサージ機構を使用した後、該揺動アーム３０は最底部に回されて該台座２０と水平設置にでき、該マッサージ構造の体積を大幅に低減し、空間を占めることが避けられるため、使用後の収納に有利で、収納の利便性が向上される。
以上は、本発明に係る実施例の一部に過ぎないため、本発明の実施範囲を制限するものではない。即ち、本発明の特許請求の範囲内で行われる変化、修飾なども本発明の範囲に属すべきである。
【符号の説明】
【００２６】
１０        マッサージローラー
１１        円盤
１２        マッサージユニット
１１１      軸柱
１１２      穿孔
１２１      弾性拘束部材
１２２      マッサージ玉
１３        外盤
１４        布カバー
２０        台座
２１        脚フレーム
２２        組み合わせ柱
２３        位置限定ストップ板
２４        第一極限スイッチ
３０        揺動アーム
３１        マッサージ端
３２        揺動端
３３        マッサージローラーモーター
３３１      心軸
３４        揺動モーター
３４１      軸棒
３５        第二極限スイッチ
【図１】
2020108729.tif 000003
【図２】
2020108729.tif 000004
【図３】
2020108729.tif 000005
【図４】
2020108729.tif 000006
【図５】
2020108729.tif 000007
【図６】
2020108729.tif 000008
【図７】
2020108729.tif 000009
【図８】
2020108729.tif 000010
【図９】
2020108729.tif 000011
【図１０】
2020108729.tif 000012
【図１１】
2020108729.tif 000013
【図１２】
2020108729.tif 000014
【図１３】
2020108729.tif 000015